(57)【要約】【課題】電動モータの固定子コイルの異常な温度上昇の検知精度を向上させることができる電動モータの保護装置を提供すること。【解決手段】コントローラ４４は、外気温度センサ４１により検出された電動モータ１１の外気温度と、コイル温度センサ４２により検出された電動モータ１１のコイルエンド１４ａの温度とに基づき電動モータ１１の固定子コイル１４の上昇温度Ｔｒを算出する。さらに、消費電流センサ４３により検出された電動モータ１１の消費電流（モータ負荷）に対応する規定上昇温度Ｔｓを算出する。さらに、上昇温度Ｔｒが規定上昇温度Ｔｓ以上かどうかを判定し、上昇温度Ｔｒが規定上昇温度ｔｓ以上であるという判定結果を得たときに、報知装置４８を制御して注意警報表示灯４８ｂを点灯させる。【選択図】図３
2009303365.tif 000002
【特許請求の範囲】
【請求項１】
電動モータの過熱を検知して報知する電動モータの保護装置において、
前記電動モータの固定子コイルの上昇温度を検出する上昇温度検出手段と、
この上昇温度検出手段により検出された上昇温度が規定上昇温度以上かどうかを判定する上昇温度判定手段と、
この上昇温度判定手段により前記検出された上昇温度が前記規定上昇温度以上であると判定されたことを報知する報知手段と
を備えたことを特徴とする電動モータの保護装置。
【請求項２】
請求項１に記載の発明において、
前記電動モータの負荷を検出する負荷検出手段と、
前記電動モータの負荷と前記規定上昇温度との予め設定された対応関係に基づいて、前記負荷検出手段により検出された負荷に対応する規定上昇温度を算出する規定上昇温度算出手段と
を備えたことを特徴とする電動モータの保護装置。
【請求項３】
請求項１または２に記載の発明において、
前記固定子コイルの温度が安定しているかどうかを判定する温度安定判定手段を備え、
前記上昇温度判定手段は、前記温度安定判定手段により前記固定子コイルの温度が安定していると判定されたときに、前記検出された上昇温度が前記規定上昇温度以上であるかどうかの判定を行うよう設定された
ことを特徴とする電動モータの保護装置。
【請求項４】
原動機として電動モータを備えた電動式油圧ショベルにおいて、
請求項１〜３のいずれか１項に記載の電動モータの保護装置を備えた
ことを特徴とする電動式油圧ショベル。
【発明の詳細な説明】
【技術分野】
【０００１】
本発明は、電動モータの過熱を検知して報知する電動モータの保護装置、およびこの電動モータの保護装置を備えた電動式油圧ショベルに関する。
【背景技術】
【０００２】
従来の電動モータの保護装置は、固定子鉄心の温度を温度センサで検出し、その検出された固定子鉄心の温度（以下「鉄心温度」という）に基づき演算処理装置により固定子コイルの温度（以下「コイル温度」という）を算出する。そして、コイル温度が規定温度に達したかどうかを判定し、規定温度に達したと判定したことを、固定子コイルの過熱を検知したこととして報知する。なお、規定温度は、固定子コイルに焼損等の致命的な損傷が生じるとされるコイル温度よりも低く、コイル温度の正常範囲よりも高い温度に設定されている。
【０００３】
電動モータの構造上、温度センサを固定子コイルの中心部に設けてコイル温度を検出するのは困難である。このため、従来の電動モータの保護装置では、前述のように、温度センサにより検出された鉄心温度に基づき演算処理装置がコイル温度を算出するという検出方法が採用されている。この検出方法において、コイル温度の算出は、コイル温度と鉄心温度との予め設定された対応関係、例えばコイル温度の７５％が鉄心温度であるという関係に基づいて行われる。その対応関係は、コイル温度の検出精度を向上させるため、固定子鉄心の位置、電動モータの外気温度、モータの冷却効率などを考慮した調整が可能になっていることもある。
【０００４】
この種の従来の電動モータの保護装置については特許文献１を参照されたい。
【特許文献１】実開平６−７７４６９号公報
【発明の開示】
【発明が解決しようとする課題】
【０００５】
ところで、前述した従来の電動モータの保護装置において、過熱の報知の基準となる規定温度が固定値であるため、過負荷や冷却効率の低下などに起因する電動モータの異常な温度上昇を、コイル温度が規定温度に達することが伴わなければ検知できないという問題がある。
【０００６】
この問題を具体的な例を挙げて説明する。
【０００７】
電動モータの一般的な使用条件の一例としては、「負荷率が１００％（８０％）での電動モータの連続使用時における外気温度の上限値が４０℃（６０℃）である」という使用条件がある。この使用条件に対応する電動モータにおいて、過熱の報知の基準となる規定温度は例えば１５０℃に設定される。このように規定温度が１５０℃に設定された電動モータを、外気温度が−２０℃の環境下において負荷率が８０％の状態で連続使用した場合、その外気温度「−２０℃」と外気温度の上限値「６０℃」との差が８０℃と大きいため、過負荷や冷却効率の低下などに起因して電動モータの固定子コイルに異常な温度上昇が生じても、これに伴う上昇温度（温度上昇に伴う温度変化の幅）が８０℃を超えなければコイル温度は規定温度「１５０℃」に達さず、検知されないことになる。
【０００８】
また、電動式油圧ショベルには原動機として電動モータが搭載されている。電動式油圧ショベルは生産ラインの設備の一部として用いられる。生産ラインの各設備のいずれか１つでも故障で停止すれば生産ライン全体が停止して、生産性の低下を招くため、生産ラインに対しては定期点検が行われる。この定期点検の際、電動式油圧ショベルの電動モータの点検も行われる。電動式油圧ショベルに従来の電動モータの保護装置を採用した場合、固定子コイルが規定温度以上に過熱されなければ固定子コイルの異常な温度上昇が検知されないため、定期点検前に異常な温度上昇が生じていたとしても、定期点検時に電動モータに異常がないと判断され、異常な温度上昇の原因が取り除かれないまま生産ラインの稼働が再開されることがある。このため、生産ラインの稼働中に、前回の定期点検で見逃がされた異常が原因となって再び異常な温度上昇が生じ、これに伴って固定子コイルが規定温度以上に過熱し、この過熱が電動モータの保護装置で検知されることがある。固定子コイルの過熱が検知されれば、電動式油圧ショベルを停止させ、すなわち生産ライン全体を停止させ、電動モータの点検・修理を行うことになる。
【０００９】
電動式油圧ショベルのうちでも超大型のものは、僻地で用いられるため、専門性の高い点検や整備を日常的に行うことは困難である。また、その僻地が寒冷地や冬季で気温が非常に低い環境の場合、屋外での点検・整備に非常な労力を要する。さらに、超大型電動式油圧ショベルでは、電動モータも超大型であるため、電動モータの交換が困難である。これらのことから、超大型電動式油圧ショベルの電動モータの異常に対しては、点検・整備の専門性が低いこと、点検・整備に要する労力も少なくて済むこと、および、電動モータを交換しなくて済むことが要望されている。これらの要望に応じるためには、固定子コイルの規定温度以上の過熱が生じにくい気温の低い環境下であっても異常な温度上昇の発生を把握でき、異常の原因をその異常の初期段階で除去できることが望ましい。
【００１０】
本発明は前述の事情を考慮してなされたものであり、その目的は、電動モータの固定子コイルの異常な温度上昇の検知精度を向上させることができる電動モータの保護装置、および、この電動モータの保護装置を備えた電動式油圧ショベルを提供することにある。
【課題を解決するための手段】
【００１１】
前述の目的を達成するために、本発明の電動モータの保護装置は次のように構成されている。
【００１２】
〔１〕本発明の電動モータの保護装置は、電動モータの過熱を検知して報知する電動モータの保護装置において、前記電動モータの固定子コイルの上昇温度を検出する上昇温度検出手段と、この上昇温度検出手段により検出された上昇温度が規定上昇温度以上かどうかを判定する上昇温度判定手段と、この上昇温度判定手段により前記検出された上昇温度が前記規定上昇温度以上であると判定されたことを報知する報知手段とを備えたことを特徴とする。
【００１３】
この「〔１〕」に記載の本発明は、上昇温度検出手段により固定子コイルの上昇温度を検出し、その検出された上昇温度が規定上昇温度以上かどうかを、上昇温度判定手段により判定する。これにより、固定子コイルの異常な温度上昇の検知精度を向上させることができる。
【００１４】
〔２〕  本発明は「〔１〕」に記載の電動モータの保護装置の発明において、前記電動モータの負荷を検出する負荷検出手段と、前記電動モータの負荷と前記規定上昇温度との予め設定された対応関係に基づいて、前記負荷検出手段により検出された負荷に対応する規定上昇温度を算出する規定上昇温度算出手段と、を備えたことを特徴とする。
【００１５】
この「〔２〕」に記載の本発明は、負荷検出手段により電動モータの負荷を検出し、その検出された負荷に対応する規定上昇温度を規定上昇温度算出手段により算出する。これにより、固定子コイルの温度上昇の異常を、電動モータの負荷と固定子コイルの温度上昇との関係を踏まえて判定することができる。
【００１６】
〔３〕  本発明は「〔１〕」または「〔２〕」に記載の電動モータの保護装置の発明において、前記固定子コイルの温度が安定しているかどうかを判定する温度安定判定手段を備え、前記上昇温度判定手段は、前記温度安定判定手段により前記固定子コイルの温度が安定していると判定されたときに、前記検出された上昇温度が前記規定上昇温度以上であるかどうかの判定を行うよう設定されたことを特徴とする。
【００１７】
この「〔３〕」に記載の本発明は、固定子コイルの温度が安定した状態で上昇温度が規定上昇温度以上であるかどうかを判定するので、異常な温度上昇の検知精度を安定させることができる。
【００１８】
〔４〕  本発明は、原動機として電動モータを備えた電動式油圧ショベルにおいて、「〔１〕」〜「〔３〕」のいずれか１項に記載の電動モータの保護装置を備えたことを特徴とする。
【００１９】
電動式油圧ショベルが生産ラインの設備の一部として用いられることは前述した。「〔４〕」に記載の電動式油圧ショベルは、「〔１〕」〜「〔３〕」に記載の電動モータの保護装置により、生産ラインの定期点検時に、固定子コイルの異常な温度上昇の原因を電動モータから除去することを促すことができるので、電動式油圧ショベルの電動モータの故障に起因する生産ラインの停止頻度の低減に貢献できる。また、「〔１〕」〜「〔３〕」に記載の電動モータの保護装置によれば、電動モータの異常に初期段階のうちに対処することができるようになるので、電動モータの点検・整備の専門性を低くすること、電動モータの点検・整備に要する労力を少なくすること、および、電動モータを交換しなくて済ませることに貢献でき、したがって、僻地で用いられる超大型電動式油圧ショベルとして有用な電動式油圧ショベルを実現できる。
【発明の効果】
【００２０】
本発明の電動モータの保護装置によれば、電動モータの固定子コイルの異常な温度上昇の検知精度を向上させることができる。特に、寒冷地や冬季等の気温の低い環境下での固定子コイルの異常な温度上昇の検知精度の向上に貢献できる。
【００２１】
本発明の電動式油圧ショベルによれば、電動式油圧ショベルが生産ラインの設備の一部として用いられている場合に、電動式油圧ショベルの電動モータの故障に起因する生産ラインの停止頻度の低減に貢献できる。また、僻地で用いられる超大型電動式油圧ショベルとして有用な電動式油圧ショベルを実現できる。
【発明を実施するための最良の形態】
【００２２】
本発明の一実施形態について説明する。
【００２３】
図１は本発明の一実施形態に係る超大型電動式油圧ショベルの斜視図である。
【００２４】
この図１に示すように、本実施形態に係る超大型電動式油圧ショベル１（ローディングショベル）は、走行体２と、この走行体２に旋回可能に設けられた旋回体３と、この旋回体３の前部中央に装備されたフロント作業機４とを備えている。
【００２５】
フロント作業機４は、旋回体３に上下方向に回動可能に結合したブーム５と、このブーム５の端部に回動可能に結合したアーム６と、このアーム６の端部に回動可能に結合し開閉可能に構成されたバケット７とを備えている。
【００２６】
旋回体３の後部には、メインポンプやパイロットポンプを構成する複数のポンプからなるポンプ群１０と、このポンプ群１０の駆動源である電動モータ１１と、この電動モータ１１からポンプ群１０に動力を伝達するポンプトランスミッション２０が格納されている。
【００２７】
図２は図１の矢印Ｂ方向から見た電動モータおよびその周辺を拡大して示す部分的破断図である。この図２において、１８は旋回体３に固定された基台（図１には示していない）である。この基台１８上に電動モータ１１が固定されている。電動モータ１１の出力軸１２は、カップリング２２によりポンプトランスミッション２０の入力軸２１と一体的に回転可能に結合している。
【００２８】
電動モータ１１は、出力軸１２と一体的に回転する回転子１３と、この回転子１３の外周側に設けられ回転不能な固定子コイル１４と、これらを格納するケース１５とを備えている。ケース１５の外側には、放熱器１６が設けられている。この放熱器１６は、表面にフィンが形成された本体（図示しない）と、この本体に放熱のための空気を供給する導風体１７とを有する。導風体１７は、吸気口１７ａ１を含む導風路を形成している吸気管１７ａと、排気口１７ｂ１を含む導風路を放熱器１６の本体との間に形成する本体カバー１７ｂとから構成されている。図２において、２点鎖線の矢印は、導風体１７により形成された導風路内における空気の流れを示している。
【００２９】
図１に戻り、旋回体３の中央部には、電動モータ１１の駆動回路を含む、油圧ショベル１の電気系統の制御盤３０が設けられている。
【００３０】
図３は本発明の電動モータの保護装置の一実施形態を示すブロック図である。図３に示において破線で囲んだ部分が、本実施形態に係る保護装置である。外気温度センサ４１は図２に示すように吸気管１７ａの吸気口１７ａ１の縁に取り付けられていて、吸気口１７ａ１から導入される空気の温度を検出し、検出した温度に相応する外気温度信号（電気信号）を出力するようになっている。また、コイル温度センサ４２は図２に示すように固定子コイル１４のコイルエンドに取り付けられていて、コイルエンド１４ａの温度を検出し、検出した温度に相応するコイル温度信号（電気信号）を出力するようになっている。さらに、モータの負荷を検出する負荷検出手段としての消費電流センサ４３は、電動モータ１１での消費電流を検出し、検出した電流に相応する消費電流信号を出力するようになっている。この消費電流センサ４３は制御盤３０に設けられている。
【００３１】
図１に示すように、旋回体３の前部で運転室３ａの下方には、コントローラ４４が格納されている。このコントローラ４４は、図３に示すように、ＣＰＵ、ＲＡＭ、ＲＯＭを含む演算処理部４５と、外部からの電気信号を入力する入力部４６と、外部に制御信号を出力する出力部４７とを備えている。入力部４６には、外気温度センサ４１から出力された外気温度信号、コイル温度センサ４２から出力されたコイル温度信号、および、消費電流センサ４３から出力された消費電流信号が入力されるようになっている。出力部４７は、運転室３ａに設けられた報知装置４８を制御する報知制御信号と、制御盤３０中の電動モータ１１の駆動回路を制御するモータ制御信号とを出力するようになっている。
【００３２】
コントローラ４４は、演算処理部４５のＲＯＭに予め記憶されたコンピュータプログラムによって、図４に示す処理を行うようになっている。図４は電動モータの固定子コイルが規定温度以上に過熱した際に、図３に示したコントローラが行う処理の流れを示すフローチャートである。
【００３３】
この図４に示すように、コントローラ４４は、コイル温度信号を入力部４６に入力してコイル温度の検出値を得ると、そのコイル温度が規定温度以上かどうかを判定する（手順Ｓ１→手順Ｓ２）。規定温度については、「背景技術」の欄でも述べたが、固定子コイルに焼損等の致命的な損傷が生じるとされるコイル温度よりも低く、コイル温度の正常範囲よりも高い温度に設定されている。
【００３４】
そして、コントローラ４４はコイル温度が規定温度以上であると判定すると（手順Ｓ２でＹＥＳ）、電動モータ１１を緊急停止させるためのモータ制御信号を、制御盤３０に出力するとともに、報知装置４８の緊急警報表示灯４８ａを点灯させるための報知制御信号を、報知装置４８に出力する（手順Ｓ３）。
【００３５】
コントローラ４４はコイル温度が規定温度以上でないと判定すると（手順Ｓ２でＮＯ）、手順Ｓ１に戻る。つまり、コイル温度が規定温度以上にならない状態では、「手順Ｓ１→手順Ｓ２→手順Ｓ１」のルーチンが繰り返される。
【００３６】
コントローラ４４は、演算処理部４５のＲＯＭに予め記憶されたコンピュータプログラムによって、前述の図４に示す処理に加え、図５に示す処理も行うようになっている。図５は電動モータの固定子コイルに異常な温度上昇が生じた際に、図３に示したコントローラが行う処理の流れを示すフローチャートである。
【００３７】
この図５に示すように、コントローラ４４は、第１規定時間Ｔ１が経過するまでの間、コイル温度信号、外気温度信号および消費電流信号の入力と、これらの信号から得たコイル温度、外気温度および消費電流のそれぞれの検出値の記憶とを、繰り返し、コイル温度、外気温度および消費電流のそれぞれの検出値を順次蓄積する。つまり、「手順Ｓ１０，Ｓ１２，Ｓ１４→手順Ｓ１１，Ｓ１３，Ｓ１５→手順Ｓ１６→手順Ｓ１０，Ｓ１２，Ｓ１４」のルーチンを第１規定時間Ｔ１だけ繰り返す。
【００３８】
第１規定時間Ｔ１が経過すると（手順Ｓ１６でＹＥＳ）、第１規定時間Ｔ１の経過時点から第２規定時間Ｔ２（Ｔ２＜Ｔ１）前までのコイル温度の変化幅が規定幅内かどうかを判定する（手順Ｓ１７）。つまり、コントローラ４４は、コイル温度が安定しているかどうかを判定する温度安定判定手段として機能している。ここで、コイル温度の変化幅が規定幅内ではない、すなわちコイル温度が安定していないと判定すると（手順Ｓ１７でＮＯ）、ルーチンを手順Ｓ１０，Ｓ１２，Ｓ１４に戻す。
【００３９】
一方、コイル温度の変化幅が規定幅内である、すなわちコイル温度が安定したと判定すると（手順Ｓ１７でＹＥＳ）、次にコントローラ４４は、第１規定時間Ｔ１の経過時点のコイル温度Ｔｃ、すなわち安定した状態のコイル温度を抽出する（手順Ｓ１８）とともに、第２規定時間Ｔ２前から第３規定時間Ｔ３（Ｔ３＝Ｔ１−Ｔ２，Ｔ２＜Ｔ３）前までの平均外気温度Ｔｏａを算出する（手順Ｓ１９）。そして、コイル温度Ｔｃから平均外気温度Ｔｏａを減算して固定子コイル１４の上昇温度Ｔｒ（Ｔｒ＝Ｔｃ−Ｔｏａ）を算出する（手順Ｓ２０）。つまり、コントローラ４４は外気温度センサ４１とコイル温度センサ４２との協働により、固定子コイル１４の上昇温度を検出する上昇温度検出手段として機能している。
【００４０】
また、コントローラ４４は規定上昇温度算出手段として機能し、この機能により、第２規定時間Ｔ２前から第３規定時間Ｔ３前までの平均消費電流Ｉａ（モータ負荷）も算出し、さらに、平均消費電流Ｉａと規定上昇温度Ｔｓとの予め設定された対応関係に基づいて、今回算出した平均消費電流Ｉａに対応する規定上昇温度Ｔｓを算出する（手順Ｓ２１→手順Ｓ２２）。
【００４１】
次に、コントローラ４４は上昇温度判定手段として機能し、この機能によって、上昇温度Ｔｒと規定上昇温度Ｔｓとを比較し、上昇温度Ｔｒが規定上昇温度Ｔｓ以上かどうかを判定する（手順Ｓ２３）。ここで、上昇温度Ｔｒが規定上昇温度Ｔｓ以上ではないと判定すると（手順Ｓ１７でＮＯ）、ルーチンを手順Ｓ１０，Ｓ１２，Ｓ１４に戻す。
【００４２】
一方、上昇温度Ｔｒが規定上昇温度Ｔｓ以上であると判定すると（手順Ｓ１７でＹＥＳ）、コントローラ４４は報知装置４８の注意警報表示灯４８ｂを点灯させるための報知制御信号を出力する（手順Ｓ２４）。この報知制御信号により報知装置４８は注意警報表示灯４８ｂを点灯さる。このときの報知装置４８は、固定子コイル１４の上昇温度Ｔｒが規定上昇温度Ｔｓ以上であること報知する報知手段として機能したことになる。なお、このときには、コントローラ４４は電動モータ１１を緊急停止させるためのモータ制御信号を出力しない。
【００４３】
本実施形態に係る保護装置４０によれば次の効果を得られる。
【００４４】
保護装置４０は、外気温度センサ４１とコイル温度センサ４２とコントローラ４４との協働による上昇温度検出手段としての機能によって固定子コイル１４の上昇温度Ｔｒを検出し、その検出された上昇温度Ｔｒが規定上昇温度Ｔｓ以上かどうかを、上昇温度判定手段としてのコントローラ４４により判定する。これにより、電動モータ１１の固定子コイル１４の異常な温度上昇の検知精度を向上させることができる。特に、寒冷地や冬季等の気温の低い環境下での固定子コイル１４の異常な温度上昇の検出精度の向上に貢献できる。
【００４５】
保護装置４０は、消費電流センサ４３（負荷検出手段）により電動モータの負荷に相応する消費電流を検出し、その検出された消費電流に対応する規定上昇温度Ｔｓを規定上昇温度算出手段としてのコントローラ４４により算出する。これにより、固定子コイル１４の温度上昇の異常を、電動モータ１１の負荷と固定子コイル１４の温度上昇との関係を踏まえて判定することができる。
【００４６】
保護装置４０は、安定判定手段としてのコントローラ４４によりコイル温度が安定したことを確認した後に、上昇温度算出手段としてのコントローラ４４が、安定したコイル温度Ｔｃと平均外気温度Ｔｏａとから固定子コイル１４の上昇温度Ｔｒを算出する。そして、上昇温度判定手段としてのコントローラ４４が、算出された上昇温度Ｔｒが規定上昇温度Ｔｓ以上であるかどうかを判定する。これにより、固定子コイル１４の異常な温度上昇の検知精度を安定させることができる。
【００４７】
本実施形態に係る超大型電動式油圧ショベル１によれば次の効果を得られる。
【００４８】
超大型電動式油圧ショベル１は、保護装置４０の報知装置４８の注意警報表示灯４８ｂにより、生産ラインの定期点検時に、固定子コイル１４の異常な温度上昇の原因を電動モータ１１から除去することを促すことができる。したがって、電動式油圧ショベル１の電動モータ１１の故障に起因する生産ラインの停止頻度の低減に貢献できる。
【００４９】
また、超大型電動式油圧ショベル１は、保護装置４０によって電動モータ１１の異常に初期段階のうちに対処することができるようになるので、電動モータ１１の点検・整備の専門性を低くすること、電動モータ１１の点検・整備に要する労力を少なくすること、および、電動モータ１１を交換しなくて済ませることに貢献できる。つまり、超大型電動式油圧ショベル１は、僻地で用いられる超大型電動式油圧ショベルとして好適である。
【００５０】
なお、実施形態を超大型電動式油圧ショベル１を挙げて説明したが、これは、本発明の電動式油圧ショベルを超大型に限定するものでも、ローディングショベルに限定するものでもない。
【図面の簡単な説明】
【００５１】
【図１】本発明の一実施形態に係る超大型電動式油圧ショベルの斜視図である。
【図２】図１の矢印Ｂ方向から見た電動モータおよびその周辺を拡大して示す部分的破断図である。
【図３】本発明の電動モータの保護装置の一実施形態を示すブロック図である。
【図４】電動モータの固定子コイルが規定温度以上に過熱した際に、図３に示したコントローラが行う処理の流れを示すフローチャートである。
【図５】電動モータの固定子コイルに異常な温度上昇が生じた際に、図３に示したコントローラが行う処理の流れを示すフローチャートである。
【符号の説明】
【００５２】
１  超大型油圧ショベル
２  走行体
３  旋回体
３ａ  運転室
４  フロント作業機
５  ブーム
６  アーム
７  バケット
１０  ポンプ群
１１  電動モータ
１２  出力軸
１３  回転子
１４  固定子コイル
１４ａ  コイルエンド
１５  ケース
１６  放熱器
１７  導風体
１７ａ  吸気管
１７ａ１  吸気口
１７ｂ  本体カバー
１７ｂ１  排気口
１８  基台
２０  ポンプトランスミッション
２１  入力軸
２２  カップリング
３０  制御盤
４０  保護装置
４１  外気温度センサ
４２  コイル温度センサ
４３  消費電流センサ
４４  コントローラ
４５  演算処理部
４６  入力部
４７  出力部
４８  報知装置
４８ａ  緊急警報表示灯
４８ｂ  注意警報表示灯
【図１】
2009303365.tif 000003
【図２】
2009303365.tif 000004
【図３】
2009303365.tif 000005
【図４】
2009303365.tif 000006
【図５】
2009303365.tif 000007